(57)【要約】  【課題】  同じデザインのパッケージを用いて斬新な陳列方法で消費者の注目を喚起させることができる商品陳列方法を提供する。  【解決手段】  商品を包装するパッケージ１０に花柄又は紅葉柄の絵柄を付し、上下に複数の段又は上下に傾いた傾斜を持つ陳列棚２０に多数のパッケージ１０に包装された商品を載置し、陳列棚２０の下方に枝の絵柄を付した第１パネル２２を設置して、第１パネル２２及び多数のパッケージ１０によって全体として満開の花又は紅葉の外観を形成して、消費者の注目を喚起する。【選択図】  図２
2005168819.tif 000002
【特許請求の範囲】
【請求項１】
パッケージに包装された商品を陳列する商品陳列方法であって、
該パッケージに自然物の絵柄を付し、
上下に複数の段又は上下に傾いた傾斜を持つ陳列棚に多数の前記パッケージに包装された商品を載置し、
前記陳列棚の下方に前記自然物に関連する絵柄を付したパネルを設置して、
パネル及び多数のパッケージによって全体として自然の外観を形成することを特徴とする商品陳列方法。
【請求項２】
前記パッケージに付される自然物の絵柄は花柄又は紅葉柄の絵柄であり、前記パネルに付される自然物に関連する絵柄は、枝又は幹の絵柄であり、パネル及び多数のパッケージによって全体として満開の花又は紅葉の外観を形成することを特徴とする請求項１記載の商品陳列方法。
【請求項３】
前記パッケージを巾着帯材によって巾着状に絞り、前記自然物の絵柄は、巾着帯材よりも上部及び下部のそれぞれの部分に付することを特徴とする請求項１又は２記載の商品陳列方法。
【請求項４】
前記多数のパッケージの中央部分にキャンペーン名、キャッチフレーズ、商標及び商品名の少なくとも１つが付された第２パネルを配置することを特徴とする請求項１ないし３のいずれか１項に記載の商品陳列方法。
【請求項５】
前記多数のパッケージよりも上方にキャンペーン名、キャッチフレーズ、商標又は商品名の少なくとも１つが付された第３パネルを配置することを特徴とする請求項１ないし４のいずれか１項に記載の商品陳列方法。
【請求項６】
前記請求項１ないし５のいずれか１項に記載の商品陳列方法に使用されるパッケージ。
【発明の詳細な説明】
【技術分野】
【０００１】
本発明は、パッケージに包装された商品を陳列する商品陳列方法及びそのパッケージに関する。
【背景技術】
【０００２】
消費者に対して商品の購買意欲を掻き立てるための手段として、店頭にて商品をどのように陳列するかは重要な要素の１つである。従来、このような商品陳列方法としては、例えば、特開２００３−２３５６９９号公報又は特開２００１−２０７４号公報に記載されたものがある。
【０００３】
特開２００３−２３５６９９号公報に記載のものは、上面が開口するケース本体の内底面に、扁平な陳列対象の左右方向一端側を横倒れの傾斜姿勢に仮止め保持する凹みがいくつか設けられ、凹みは、その陳列対象の少なくとも左右方向他端部の上面が露出するように配置されており、陳列対象の左右方向他端部の上面にデザイン表示がなされている。デザイン表示は陳列対象毎に夫々異なる花柄模様にされており、１つのケース本体に収容される陳列対象で統一化された花柄模様にシリーズ化されている。このようにケース本体内の陳列対象によりシリーズ化されたデザイン表示が見えて顧客吸引力を増加させるようにしている。
【０００４】
また、特開２００１−２０７４号公報に記載のものは、一まとまりで左右に複数の瓶容器を並べて陳列し、その各瓶容器を正面から見た輪郭形状が、それぞれ共通する特定の上位概念に属する下位概念を象徴する文字又は図柄の輪郭形状になっている。こうして、左右一列に瓶容器を並べたときに、非常に印象の強い陳列形態となるようにしている。
【０００５】
以上の公報に記載されたものは、一組の陳列対象によって一まとまりのデザイン表示をするようになっており、言い換えれば、各陳列対象はそれぞれ異なるデザイン表示をする必要がある。そのために、陳列対象がグループ化するのに適さない商品の場合には、デザイン表示を異ならせることは適当でない。
【０００６】
【特許文献１】特開２００３−２３５６９９号公報
【特許文献２】特開２００１−２０７４号公報
【発明の開示】
【発明が解決しようとする課題】
【０００７】
本発明はかかる課題に鑑みなされたもので、その目的は、同じデザインのパッケージを用いて斬新な陳列方法で消費者の注目を喚起させることができる商品陳列方法及びそれに用いられるパッケージを提供することである。
【課題を解決するための手段】
【０００８】
上記目的を達成するために請求項１記載の発明は、パッケージに包装された商品を陳列する商品陳列方法であって、
該パッケージに自然物の絵柄を付し、
上下に複数の段又は上下に傾いた傾斜を持つ陳列棚に多数の前記パッケージに包装された商品を載置し、
前記陳列棚の下方に前記自然物に関連する絵柄を付したパネルを設置して、
パネル及び多数のパッケージによって全体として自然の外観を形成することを特徴とする。
【０００９】
請求項２記載の発明は、請求項１記載のものにおいて、前記パッケージに付される自然物の絵柄は花柄又は紅葉柄の絵柄であり、前記パネルに付される自然物に関連する絵柄は、枝又は幹の絵柄であり、パネル及び多数のパッケージによって全体として満開の花又は紅葉の外観を形成することを特徴とする。
【００１０】
請求項３記載の発明は、請求項１又は２記載の発明において、前記パッケージを巾着帯材によって巾着状に絞り、前記自然の絵柄は、巾着帯材よりも上部及び下部のそれぞれの部分に付することを特徴とする。
【００１１】
請求項４記載の発明は、請求項１ないし３のいずれかに記載の発明において、前記多数のパッケージの中央部分にキャンペーン名、キャッチフレーズ、商標及び商品名の少なくともいずれかが付された第２パネルを配置することを特徴とする。
【００１２】
請求項５記載の発明は、請求項１ないし４のいずれかに記載の発明において、前記多数のパッケージよりも上方にキャンペーン名、キャッチフレーズ、商標又は商品名の少なくともいずれかが付された第３パネルを配置することを特徴とする。
【００１３】
請求項６記載の発明は、前記請求項１ないし５のいずれかに記載の商品陳列方法に使用されるパッケージである。
【発明の効果】
【００１４】
本発明によれば、多数のパッケージの花柄又は紅葉柄のような自然物の絵柄と、パネルの枝や幹のような該自然物に関連する絵柄との組み合わせによって満開の花又は紅葉のような自然の外観を形成するという斬新な商品陳列方法によって、消費者の注目を喚起させ店頭イメージを向上させることができる。また、花柄又は紅葉柄等の自然物の絵柄が付されたパッケージが、上下に複数の段又は上下に傾いた傾斜を持つ陳列棚に載置されることで、花盛り又は紅葉盛りのような自然の状態を立体的に表現することができ、華やかさ及び臨場感を醸し出すことができる。
【００１５】
請求項３記載の発明によれば、通常はデザインを付さない巾着帯材の上部にも自然物の絵柄を付すことにより、陳列した状態で、一面、花柄又は紅葉柄とすることができて、華やかさを一層、醸し出すことができる。
【００１６】
請求項４記載又は請求項５記載の発明によれば、店頭での宣伝効果をさらに高めることができる。
【発明を実施するための最良の形態】
【００１７】
以下、図面を用いて本発明の実施の形態を説明する。尚、この実施形態に限定されるものではない。
【００１８】
図１は、本発明の商品陳列方法に用いられる商品が包装されるパッケージを表す図である。パッケージ１０は、例えば、商品としてウインナーソーセージ、ソーセージ等の食肉加工製品を包装するものであり、合成樹脂フィルムで構成される。パッケージ１０は、その上縁端と下縁端の開口がそれぞれ溶着されてシールされており、その内部に商品が収納されている。そして、巾着シール１２（巾着帯材）によってその上部の部分が絞られており、巾着形状になっている。
【００１９】
パッケージ１０の外面には、商標（ＡＢＣ）又は商品名１０ａ、キャッチフレーズ１０ｄが付されており、また、賞味期限・説明書きなどが記された説明シール１０ｂが貼付されている。
【００２０】
このような通常の表示以外に、パッケージ１０には、花柄の絵柄１０ｃが印刷により付されている。花柄の絵柄１０ｃは、パッケージ１０の外面全体に亘っており、多数の花びら（桜の花びら）となっている。巾着形状のパッケージ１０の場合、通常巾着シール１２よりも上方には絵柄を付さないが、本実施形態では、巾着シール１２よりも上部においても上縁部まで絵柄が付されている。
【００２１】
図２は、図１のパッケージ１０を陳列した状態を表す。この例では、他の商品も陳列された陳列棚２０の中で、ある上下２段の陳列棚２０、２０の上にパッケージ１０が多数載置されている。各陳列棚２０、２０は、上下に多少の傾斜を持たせているとよい。
【００２２】
パッケージ１０が載置された陳列棚２０、２０の下方には、第１パネル２２が設置されている。第１パネル２２には、商標（ａｂｃ）又は商品名２２ａと、パッケージ１０の外観の模写２２ｂと、キャッチフレーズ２２ｄとが付されており、残りの部分には枝及び幹の絵柄２２ｃが付されている。枝及び幹の絵柄は上方に伸びており、好ましくは上記パッケージ１０と同じ花びらの絵柄も同時に付されている。
【００２３】
隣接する陳列棚２０、２０の間にあって、多数のパッケージ１０の間には、第２パネル２４が設けられており、この第２パネル２４にはキャンペーン名が付されている。
【００２４】
また、陳列棚２０の最上位には、第３パネル２６が設けられており、第３パネル２６には、商標・商品名が付されている。
【００２５】
以上の商品陳列方法において、全体として、パッケージ１０の花柄の絵柄１０ｃと第１パネル２２の上方に伸びる枝及び幹の絵柄２２ｃとが合成されて、全体として満開の花の木の外観が形成される。また、第２パネル２４及び第３パネル２６によって、キャンペーン名及びその商品・商標名が引き立たせられる。
【００２６】
同一の絵柄を付したパッケージ１０であっても、上下の段又は上下に傾斜のある陳列棚２０によって上下の立体感が出て、満開の花の華やかさ及び臨場感が醸し出される。また、パッケージ１０の上縁部まで絵柄が付されているので、陳列棚２０一面に花柄となり、一層、商品を目立たせることができる。
【００２７】
このような多数のパッケージ１０と第１パネル２２との組み合わせによって満開の花の外観を形成するという斬新な商品陳列方法によって、消費者の注目を喚起させ、店頭でのイメージを向上させることができる。
【００２８】
次に、図３は、別の実施形態による本発明の商品陳列方法に用いられる商品が包装されるパッケージを表す図である。パッケージ１０−１には、紅葉の絵柄が付されている点で、第１の実施形態と異なっている。
【００２９】
また、図４に示すように第１パネル２２−１についても、その枝及び幹の絵柄２２ｃが付された部分には、同様に、パッケージ１０−１に付された紅葉に合った枝及び幹の絵柄が付されている。また、枝及び幹と共に、適宜、紅葉の絵柄が付されている。
【００３０】
以上の実施形態においては、全体として、パッケージ１０−１と第１パネル２２−１の枝及び幹の絵柄を付した部分２２ｃとが合成されて、全体として紅葉の木の外観が呈されて、第１実施形態と同様の作用・効果を奏することができる。
【００３１】
以上の各実施形態では、全てのパッケージに同じ自然物の絵柄が付されているにも拘わらず、斬新な外観を呈することができる。但し、必ずしも全てのパッケージが同じ絵柄を持つ必要はなく、異なる絵柄を持つパッケージを複数種類用意することも可能であり、これによって、陳列棚付近において、複数種類の木が重なり合った外観を形成することも可能である。
【００３２】
また、以上の各実施形態では、第２パネル２４にキャンペーン名、第３パネル２６に商標又は商品名を付していたが、逆にすることも可能である。又、いずれかのパネルにキャンペーン名、キャッチフレーズ、商標又は商品名の少なくとも１つを付すことも可能であり、又は、いずれかのパネルを省略することも可能である。
【００３３】
また、パッケージに付される絵柄としては、各実施形態に示したような花柄または紅葉柄に限らず、雪、波、雲等の任意の自然物とすることもできる。好ましくは、多数のパッケージの集合によって華やかな自然の外観が得られるような、多数の繰り返しが適している自然物がよい。また、第１パネルに付される絵柄としては、枝または幹に限らず、パッケージの自然物の絵柄に関連する任意の絵柄とすることができる。
【００３４】
また、陳列棚は、複数段及び／または傾斜した棚とすることにより、立体的にパッケージに付した自然物を配することができる。
【図面の簡単な説明】
【００３５】
【図１】本発明の第１実施形態に係る商品陳列方法に使用されるパッケージの正面図である。
【図２】図１のパッケージを用いた商品陳列方法を表す陳列棚付近の正面図である。
【図３】本発明の第２実施形態に係る商品陳列方法に使用されるパッケージの正面図である。
【図４】図３のパッケージを用いた商品陳列方法を表す陳列棚付近の正面図である。
【符号の説明】
【００３６】
１０、１０−１  パッケージ
１０ｃ  花柄の絵柄
１２  巾着シール（巾着帯材）
２０  陳列棚
２２、２２−１  第１パネル
２２ｃ  枝及び幹の絵柄を付した部分
２４  第２パネル
２６  第３パネル
【図１】
2005168819.tif 000003
【図２】
2005168819.tif 000004
【図３】
2005168819.tif 000005
【図４】
2005168819.tif 000006
【手続補正書】
【提出日】平成17年3月15日(2005.3.15)
【手続補正１】
【補正対象書類名】特許請求の範囲
【補正対象項目名】全文
【補正方法】変更
【補正の内容】
【特許請求の範囲】
【請求項１】
パッケージに包装された商品を陳列する商品陳列方法であって、
該パッケージに自然物の絵柄を付し、
上下に複数の段又は上下に傾いた傾斜を持つ陳列棚に多数の前記パッケージに包装された商品を載置し、
前記陳列棚の下方に前記自然物に関連する絵柄を付したパネルを設置して、
パネル及び多数のパッケージによって全体として自然の外観を形成することを特徴とする商品陳列方法。
【請求項２】
前記パッケージに付される自然物の絵柄は花柄又は紅葉柄の絵柄であり、前記パネルに付される自然物に関連する絵柄は、枝又は幹の絵柄であり、パネル及び多数のパッケージによって全体として満開の花又は紅葉の外観を形成することを特徴とする請求項１記載の商品陳列方法。
【請求項３】
前記パッケージを巾着帯材によって巾着状に絞り、前記自然物の絵柄は、巾着帯材よりも上部及び下部のそれぞれの部分に付することを特徴とする請求項１又は２記載の商品陳列方法。
【請求項４】
前記多数のパッケージの中央部分にキャンペーン名、キャッチフレーズ、商標及び商品名の少なくとも１つが付された第２パネルを配置することを特徴とする請求項１ないし３のいずれか１項に記載の商品陳列方法。
【請求項５】
前記多数のパッケージよりも上方にキャンペーン名、キャッチフレーズ、商標又は商品名の少なくとも１つが付された第３パネルを配置することを特徴とする請求項１ないし４のいずれか１項に記載の商品陳列方法。
【請求項６】
パッケージに包装された商品を陳列する商品陳列方法であって、
該パッケージに花柄又は紅葉柄の絵柄を付し、
上下に複数の段又は上下に傾いた傾斜を持つ陳列棚に多数の前記パッケージに包装された商品を載置し、
陳列棚付近に枝又は幹の絵柄を付した部分を配して、パッケージの花柄又は紅葉柄の絵柄と前記枝又は幹の絵柄によって、木の外観を形成することを特徴とする商品陳列方法。
【請求項７】
前記請求項１ないし６のいずれか１項に記載の商品陳列方法に使用されるパッケージ。
【手続補正２】
【補正対象書類名】明細書
【補正対象項目名】００１３
【補正方法】変更
【補正の内容】
【００１３】
請求項６記載の発明は、パッケージに包装された商品を陳列する商品陳列方法であって、
該パッケージに花柄又は紅葉柄の絵柄を付し、上下に複数の段又は上下に傾いた傾斜を持つ陳列棚に多数の前記パッケージに包装された商品を載置し、陳列棚付近に枝又は幹の絵柄を付した部分を配して、パッケージの花柄又は紅葉柄の絵柄と前記枝又は幹の絵柄によって、木の外観を形成することを特徴とする。
請求項７記載の発明は、前記請求項１ないし６のいずれかに記載の商品陳列方法に使用されるパッケージである。